(57)【特許請求の範囲】
【請求項１】
円筒、三角筒、四角筒、六角筒、多角筒を本体として、本体の上部の釣針保管部より下方の空間に対して、円柱、角柱、多角柱の先端に帽子、笠の何れかの形体のものを取り付け更に下方部の柱の部分に横穴を削孔したものをハリス糸巻兼糸止めとして、ハリスの糸巻を行う突起物とすると共にハリスの終端に近い部分を各柱類に一回転させたうえ、穴に通し引っ張って、固定させることの出来るハリス糸巻兼糸止め横穴式タイプの突起物取り付けたものを特徴とする単品釣針ハリス糸巻。
【請求項２】
請求項１の記載の単品釣針ハリス糸巻のハリス糸巻兼糸止めを本体空間に縦に一個以上、任意の数を垂直に一列に配したものを、一セットとして、単品釣針ハリスの糸巻とし、円筒、三角筒、四角筒、六角筒、多角筒を本体とした周囲に垂直に一セット以上、任意数を縦列に配置し、円筒、三角筒、四角筒、六角筒、多角筒に対して、垂直にハリス部分を糸巻する事の出来る、ハリス糸巻兼糸止め横穴式タイプの突起物を取り付けたものを特徴とする単品釣針ハリス糸巻。
【発明の詳細な説明】
【発明の詳細な説明】
【０００１】
【発明の所属する技術分野】
本発明はプラスチック、竹、木、その他樹脂等の素材の活用が出来る、単品釣針ハリス糸巻。
【背景の技術】
【０００２】  釣針が一個の場合のハリスの糸巻は梯子タイプ、円盤型等の商品は市場に色々あるものの、今一使用上、糸巻部分が入組んでいる為、巻き難い点があり糸止めが外れやすく、又釣針がむきだしになっているため怪我が発生しやすい状況であった。特に現在釣具メーカーに於いて発売されている単品釣針のハリスの包装は紙の糸巻に数多くの物が梱包されている為、糸が絡み合って一個を取り出す際、取り出しにくく、途中でハリスが切れたり、針で怪我をする等問題があった。これら解決の為公開特許、実用新案広報を参照するも、単品釣針ハリスの糸巻に於いては円筒、四角筒、六角筒、多角筒タイプの糸巻は見当たらない新しい発明です。
【公開特許広報】
特開２００２−２０９４９０参照
（５１）Ｉｎｔ．ｃ１．５    Ａ０１Ｋ  ９７／０６
【公開実用新案広報】
実開平４−１２９７７９参照
（５１）Ｉｎｔ．ｃ１．５    Ａ０１Ｋ  ９７／０６
【公開実用新案広報】
実開平２−４９８７４参照
（５１）Ｉｎｔ．ｃ１．５    Ａ０１Ｋ  ９７／０６
【発明の開示】
【発明が解決しようとする課題】
【０００３】従来は単品の釣針のハリスの保管は竹製のはしご型、円盤型、発泡スチロールの糸巻や厚紙の上部に切り込みを入れた物等が商品化されているが、ハリスが近隣接の為、絡み易く糸巻し難いところが有った、特に単品釣針ハリスのセット商品はハリスの部分が絡んでいる為、梱包より引抜が難しく、切れる時もあり、糸止めが外れやすかったので、簡単、安全に釣針ハリスが取り出し、綺麗に糸巻できる様に改善することが必要であった。
【課題を解決するための手段】
【０００４】円筒、三角筒、四角筒、六角筒、多角筒等に類するものを本体として、本体の先端円周に一個から任意の数のＶ字型、山谷型、凸凹型等の切り込みを入れて、単品釣針にハリスが付いた物の、釣針を収容する釣針保管部を設け、円筒、三角筒、四角筒、六角筒、多角筒等に類するものを本体として、本体の上部の釣針保管部より下方の空間に対して、円柱、角柱、多角柱等の物の頭部に、直径及び一辺よりやや大きめの半円型、円錐型、円盤型等のハリス外れ止めの帽子を付け、其の直下に１個の横穴を削穴し、ハリスの糸止めとして、穴にハリスを通し、一回転させ引っ張って固定させることの出来る円柱ハリス案内糸巻兼糸止め横穴式のもの及び円柱、角柱、多角柱等の物の上部に、直径及び一辺よりやや大きめの半円型、円錐型、円盤型等のハリス外れ止めの帽子を付けた物の半円型等の上部中央より垂直に切れ目を入れハリスを円柱類に一回転させてから、挟む形にして糸止め出来る円柱ハリス案内糸巻兼糸止め切れ目式タイプの、どちらかの円柱ハリス案内糸巻兼糸止めを使用し、それを本体空間に縦に１個以上、任意の数を一列に配したものを、１セットとして、釣針を釣針保管部に引掛けた後に、ハリスの長さに応じた任意の位置の円柱ハリス案内糸巻兼糸止め１箇所以上、任意の数にハリスの巻取りを繰り返しＵターンさせて糸巻し、ハリスの終端を近くの、円柱ハリス案内糸巻兼糸止めの、横の穴に通し、一回転させ軽く引っ張り固定するか切れ目に挟む事を１セットとして、釣針ハリス糸巻とし、円周等の全体に縦に１セット以上、任意数を縦列に配置した、円柱ハリス案内糸巻兼糸止め部材を取り付けた糸巻で、本体は円筒形、三角筒、四角筒、六角筒、多角筒等に類するものを使用し、本体全体の長さは、釣針のハリスの長さにより調整可能であり及び釣針の数により直径又は一辺を任意の長さに調整出来る可能な、タイプの単品釣針ハリス糸巻により問題点を解決した。
【発明の効果】
【０００５】現在釣針のハリスの付いたもの保管は発泡スチロール、紙糸巻、竹梯子、円盤型等を加工したものに、切れ目を入れ糸止めにした物が殆どであるが、ハリがむきだしになっているのでハリで怪我をしたり、服に引っ掛けたりしている。今回の発明品は釣針ハリの先が円筒の内側に入るので危険防止となっている上、釣針とハリスが直線的に糸巻するようになる為、隣接との交わりは無くハリスを綺麗に巻き取りすることが出来る。糸止めは円柱等の頭部に帽子を付け、ハリスのはずれ止めとし、その下に横穴を開け、そこにハリスの巻き終わりの終端を１回転させて引っ張り固定させるもの又円柱等に帽子を付け、帽子の上部中央より切れ目を入れたもので、その円柱などにハリスを一回転させてからハリス終端切れ目に挟みこみ固定し、糸止めとしたもので、どちらかを使うことが可能で、外れ難く、糸絡みが少なくすることが出来る、単品釣針ハリス糸巻である。ハリスの長さが、長いものでも、短いものでも、円筒類の先端のＶ字型、山谷型、凸凹型及び円柱ハリス案内糸巻兼糸止めの数増やすことにより、数多くの単品釣針ハリスの巻取りが可能で、単品釣針のハリスの保管の数が、従来の梯子タイプより、多くものが保管出来る、単品釣針ハリス糸巻にした物です。
【発明の実地するための最良の形態】
【０００６】図７に示す実施例に基づいて本発明の実施態様を説明する。始めに糸巻の本体２の円筒類の上部、Ｖ字型、山谷型、凸凹型等の釣針保管部１の切り込みに釣針７の針先を内側に向けセットし、それに付いているハリス８の長さに応じて下方にある円柱ハリス糸案内糸巻兼糸止め横穴式４、５、６列のいずれかの中から、例えば４列内の円柱ハリス糸案内糸巻兼糸止め横穴式一個以上を、ハリスの長さに応じて、４−１から４−４のいずれかに、ハリス８のＵターンを繰り返し、糸巻すると共に、ハリス８の終端を近くの円柱ハリス糸案内糸巻兼糸止め横穴式４を使用し、糸止め４の横穴にハリスの終端を、穴に一回転する様に通し、引っ張り、外れなくする。これを縦に１列、１セットの糸巻とする。又円柱ハリス糸案内糸巻兼糸止め切れ目式４｀、５｀、６｀のいずれかの中から、例えば４｀列内の円柱ハリス糸案内糸巻兼糸止め切れ目式一個以上を、ハリスの長さに応じて、４｀−１、から４｀−４のいずれかに、ハリス８のＵターンを繰り返し、糸巻すると共に、ハリス８の終端を近くの円柱ハリス糸案内糸巻兼糸止め切れ目式４｀を使用し、ハリス８の終端を近くの円柱ハリス糸案内糸止め切れ目式４｀を使用し、糸止め４｀の円柱類に、ハリス一回転させてから切れ目に挿入、固定し、外れなくする。これを縦に１列、１セットの糸巻とし、これらのいずれかを縦列４，５，６又は４｀、５｀、６｀のように円筒、角筒等に周回させた物で、円柱ハリス糸案内糸巻兼糸止め４，５，６又は４｀、５｀、６｀ように縦列の数だけ、単品釣針ハリスの保管が出来る糸巻である。使用時の釣針ハリスの糸止めの解除は円柱ハリス案内糸巻兼糸止め横穴式４の場合、ハリスの終端を止めた糸止め４の、ハリスの終端の糸止４の横穴の手前を軽く引き、４、に巻かれたハリスをほどいて、釣針保管部１に掛けていた釣針７を外して使用する。又円柱ハリス案内糸巻兼糸止め切れ目式４｀の場合は従来の方法と同様に切れ目よりハリス８を外し糸巻４｀に巻かれたハリスをほどき、釣針保管部１に掛けていた釣針７を外して使用する。
【産業上の利用可能性】
【０００７】現在単品釣針にハリスの付いたもののセット販売している製品の梱包は紙製の糸巻を使用し、ハリスの部分が絡み合っている為、一本々取り出すのが的確に行えず、時間を要したり、ハリスが切れたりし、その後の釣針の取出しが出来ず紙糸巻を壊したりして使用しているので、今回の発明品を使用すれば、その様なことが無くなり釣のスピードアップと釣の楽しみが倍加すると思います。又この発明品を大型に工作すれば漁業用としても使用可能と考えられます。
【図面の簡単な説明】
【０００８】
【図１】  本発明に係る単品釣針ハリスの糸巻の本体の正面図。
【図２】  本体に係る側面図
【図３】  本体に係る上面図
【図４】  本体に係る一部を構成する円柱ハリス案内糸巻兼糸止めの、横穴式部品の正面図、側面図、上面図。
【図５】  本体に係る一部を構成する円柱ハリス案内糸巻兼糸止めの、切れ目式部品の正面図、側面図、上面図。
【図６】  本発明に係る本体に使用する単品釣針付きハリスの実態図である。
【図７】  本発明に係る実際の単品釣針ハリスを使用した場合の糸の流れを明示した使用図面である。
【符号の説明】
【０００９】        １、釣針保管部
２、本体筒
３、ハリスの糸巻部
４、円柱ハリス案内糸巻兼糸止め横穴式
４｀、円柱ハリス案内糸巻兼糸止め切れ目式
５、円柱ハリス案内糸巻兼糸止め横穴式
５｀、円柱ハリス案内糸巻兼糸止め切れ目式
６、円柱ハリス案内糸巻兼糸止め横穴式
６｀、円柱ハリス案内糸巻兼糸止め切れ目式
７、釣針
８、ハリス
【図１】
0003641656.tif 000002
【図２】
0003641656.tif 000003
【図３】
0003641656.tif 000004
【図４】
0003641656.tif 000005
【図５】
0003641656.tif 000006
【図６】
0003641656.tif 000007
【図７】
0003641656.tif 000008